(57)【要約】【課題】  より高速の伝送速度に対応可能な光伝送システムであって、そのアップグレード時のコストアップを極力抑えることが可能な光伝送システムを提供すること。【解決手段】  この光伝送システム１は、光伝送路２０及びその両端に送信局１０と受信局３０とを備え、送信局１０から送信される複数の波長からなる信号を受信局３０に伝送させる光伝送システムであって、光伝送路２０は、複数の光ファイバ２０１〜２０３と、それら複数の光ファイバ２０１〜２０３を繋ぐ中継器２１１〜２１２とから構成されており、送信局１０及び受信局３０のみに分散補償器１０３及び３０３を配置し、光伝送路２０中には分散補償器を配置しない。【選択図】  図１
2007049486.tif 000002
【特許請求の範囲】
【請求項１】
光伝送路及びその両端に送信局と受信局とを備え、前記送信局から送信される複数の波長からなる信号を前記受信局に伝送させる光伝送システムであって、
前記光伝送路は、複数の光ファイバと、それら複数の光ファイバを繋ぐ中継器とから構成されており、
前記送信局及び前記受信局の少なくとも一方のみに分散補償器を配置し、前記光伝送路中には分散補償器を配置しないことを特徴とする光伝送システム。
【請求項２】
前記送信局及び前記受信局の双方に前記分散補償器を配置することを特徴とする請求項１に記載の光伝送システム。
【請求項３】
前記分散補償器の挿入損失が３ｄＢ以下であることを特徴とする請求項１又は２に記載の光伝送システム。
【請求項４】
前記分散補償器が分散補償ファイバであることを特徴とする請求項１又は２に記載の光伝送システム。
【請求項５】
前記分散補償器が補償量可変な構成となっていることを特徴とする請求項１又は２に記載の光伝送システム。
【請求項６】
前記信号の信号形式に応じて前記分散補償器の補償量を調整することを特徴とする請求項５に記載の光伝送システム。
【請求項７】
使用波長における前記光ファイバの分散値が３〜５ｐｓ／ｎｍ／ｋｍであることを特徴とする請求項１又は２に記載の光伝送システム。
【請求項８】
光伝送路及びその両端に送信局と受信局とを備え、前記送信局から送信される複数の波長からなる信号を前記受信局に伝送させる光伝送システムの、前記信号を伝送させる速度を上昇させるためのアップグレード方法であって、
前記送信局及び前記受信局の少なくとも一方にのみ分散補償器を挿入配置し、前記光伝送路中には分散補償器を配置しない補償器配置ステップを備えることを特徴とするアップグレード方法。
【請求項９】
前記補償器配置ステップにおいて、前記分散補償器を、前記送信局内に配置されている合波器よりも前記光伝送路側に配置すると共に、前記受信局内に配置されている分波器よりも前記光伝送路側に配置することを特徴とする請求項８に記載のアップグレード方法。
【請求項１０】
前記光伝送路は、複数の光ファイバと、それら複数の光ファイバを繋ぐ中継器とから構成されており、
前記送信局内及び前記受信局内の前記信号が通る部分に空いているカプラ又はポートの空きがある合波器及び分波器が配置されており、
既に前記送信局及び前記受信局内に配置されている送信器及び受信器よりも高速の送信器及び受信器を、前記送信局及び前記受信局内に配置されている前記カプラ又は前記ポートにそれぞれ接続する送受信器接続ステップを備えることを特徴とする請求項８に記載のアップグレード方法。
【請求項１１】
前記送受信器接続ステップの前においては、前記信号のビットレートが９．８〜１２．６Ｇｂｉｔ／ｓで外部変調器を用いて生成したものであり、前記光伝送路の累積分散値が１０００ｐｓ／ｎｍ以下であることを特徴とする請求項８〜１０のいずれか１項に記載のアップグレード方法。
【請求項１２】
前記送受信器接続ステップの後においては、前記信号のビットレートが９．８〜１２．６Ｇｂｉｔ／ｓで直接変調駆動レーザを用いて生成したものであることを特徴とする請求項８〜１０のいずれか１項に記載のアップグレード方法。
【発明の詳細な説明】
【技術分野】
【０００１】
本発明は、光伝送システム及びそのアップグレード方法に関する。
【背景技術】
【０００２】
高度情報社会の到来により、長距離かつ大容量の光通信を実現するための光伝送システムが実用化されている。この光伝送システムにおいては、送信局と受信局との間の距離が２００ｋｍを超える長距離のものが望まれている。そのような長距離の光伝送システムを実現する際に、送信局と受信局との間の光伝送路において中継器を設けることが行われている（例えば、下記特許文献１参照）。
【特許文献１】特開平１１−２０４８６６号公報
【発明の開示】
【発明が解決しようとする課題】
【０００３】
上述した光伝送システムでは、分散が１７ｐｓ／ｎｍ／ｋｍ程度の単一モード光ファイバが光伝送路として用いられている。そのような単一モード光ファイバでは、伝送速度が１０Ｇｂｉｔ／ｓになると、ファイバ分散の影響が顕著になる。１０Ｇｂｉｔ／ｓでは、良好な伝送を行うための累積分散の限界値（分散耐力）がおよそ１０００ｐｓ／ｎｍまで低下するので、チャープ特性の良い信号源を送信局に設けた場合でも、送信局と受信局との距離は８０ｋｍ程度が限界である。
【０００４】
そこで、送信局と受信局との距離をより長く、例えば２００ｋｍ程度にしようとする場合には、光伝送路に設けられる中継器に分散補償器を設けたり、分散の適度に低いノンゼロ分散シフトファイバを使用したりすることが考えられる。
【０００５】
しかしながら、中継器ごとに分散補償器を設ける場合、既設の光伝送路であって中継器ごとに分散補償器を設けていない場合には新たに分散補償器を設置する必要がある。更に、その分散補償器の挿入損失を補うための光増幅器を追加する必要もあり、コストアップに繋がる。
【０００６】
また、伝送速度を４０Ｇｂｉｔ／ｓにアップグレードした場合には分散耐力が５０〜１００ｐｓ／ｎｍまで低下するため、分散の適度に低いノンゼロ分散シフトファイバを使用した場合であっても数ｋｍ程度の伝送が限界となる。従って、やはり中継器ごとに分散補償をして対応する必要がある。
【０００７】
そこで本発明では、より高速の伝送速度に対応可能な光伝送システムであって、そのアップグレード時のコストアップを極力抑えることが可能な光伝送システム及びそのアップグレード方法を提供することを目的とする。
【課題を解決するための手段】
【０００８】
本発明に係る光伝送システムは、光伝送路及びその両端に送信局と受信局とを備え、送信局から送信される複数の波長からなる信号を受信局に伝送させる光伝送システムであって、光伝送路は、複数の光ファイバと、それら複数の光ファイバを繋ぐ中継器とから構成されており、送信局及び受信局の少なくとも一方のみに分散補償器を配置し、光伝送路中には分散補償器を配置しないことを特徴とする。
【０００９】
本発明によれば、分散補償器が送信局及び受信局の少なくとも一方のみに配置されているので、光伝送路を変更せずに送信局及び受信局の変更のみでアップグレードが可能となる。
【００１０】
また本発明に係る光伝送システムでは、送信局及び受信局の双方に分散補償器を配置することも好ましい。送信局及び受信局に分散補償器が配置されているので、送信局及び受信局の双方において分散補償を行うことができる。
【００１１】
また本発明に係る光伝送システムでは、分散補償器の挿入損失が３ｄＢ以下であることも好ましい。分散補償器の挿入損失が３ｄＢ以下なので、増幅器を追加せずに光伝送システムを構成することができる。
【００１２】
また本発明に係る光伝送システムでは、分散補償器が分散補償ファイバであることも好ましい。分散補償ファイバを用いて分散補償しているので、分散スロープを含めた分散補償を行うことができる。
【００１３】
また本発明に係る光伝送システムでは、分散補償器が補償量可変な構成となっていることも好ましい。分散補償器が補償量可変であるので、光伝送路の状況に応じた最適な分散補償を行うことができる。
【００１４】
また本発明に係る光伝送システムでは、信号の信号形式に応じて分散補償器の補償量を調整することも好ましい。信号形式によって波長分散の状態が異なる場合、信号形式に応じて補償量を調整することで、波長分散に応じた調整が可能となる。
【００１５】
また本発明に係る光伝送システムでは、使用波長における光ファイバの分散値が３〜５ｐｓ／ｎｍ／ｋｍであることも好ましい。使用波長における光ファイバの分散値を３〜５ｐｓ／ｎｍ／ｋｍとしているので、四光波混合による劣化を抑制できると共に分散耐力を超えることを回避できる。
【００１６】
本発明に係るアップグレード方法は、光伝送路及びその両端に送信局と受信局とを備え、送信局から送信される複数の波長からなる信号を受信局に伝送させる光伝送システムの、信号を伝送させる速度を上昇させるためのアップグレード方法であって、送信局及び受信局の少なくとも一方にのみ分散補償器を挿入配置し、光伝送路中には分散補償器を配置しない補償器配置ステップを備えることを特徴とする。
【００１７】
本発明によれば、光伝送路中には分散補償器を配置せずに、送信局及び受信局のみに配置するので、より簡便に光伝送路システムをアップグレードすることが可能となる。
【００１８】
また本発明に係るアップグレード方法では、補償器配置ステップにおいて、分散補償器を、送信局内に配置されている合波器よりも光伝送路側に配置すると共に、前記受信局内に配置されている分波器よりも光伝送路側に配置することも好ましい。合波器及び分波器よりも光伝送路側に分散補償器を配置するので、複数の波長を一括して分散補償を行うことができる。
【００１９】
また本発明に係るアップグレード方法では、光伝送路は、複数の光ファイバと、それら複数の光ファイバを繋ぐ中継器とから構成されており、送信局内及び受信局内の信号が通る部分に空いているカプラ又はポートの空きがある合波器及び分波器が配置されている場合において、既に送信局及び受信局内に配置されている送信器及び受信器よりも高速の送信器及び受信器を、送信局及び受信局内に配置されているカプラ又はポートにそれぞれ接続する送受信器接続ステップを備えることも好ましい。空いているカプラ又はポートの空きがある合波器及び分波器に送信器及び受信器を接続するので、光伝送システムを停止せずに送信器及び受信器を追加してアップグレードすることができる。
【００２０】
また本発明に係るアップグレード方法では、送受信器接続ステップの前においては、信号のビットレートが９．８〜１２．６Ｇｂｉｔ／ｓで外部変調器を用いて生成したものであり、光伝送路の累積分散値が１０００ｐｓ／ｎｍ以下であることも好ましい。
【００２１】
また本発明に係るアップグレード方法では、送受信器接続ステップの後においては、信号のビットレートが９．８〜１２．６Ｇｂｉｔ／ｓで直接変調駆動レーザを用いて生成したものであることも好ましい。
【発明の効果】
【００２２】
本発明によれば、分散補償器が送信局及び受信局の少なくとも一方のみに配置されているので、光伝送路を変更せずに送信局及び受信局の変更のみでアップグレードが可能となる。
【発明を実施するための最良の形態】
【００２３】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００２４】
本発明の実施形態である光伝送システムの構成について図１を参照しながら説明する。図１は光伝送システム１の構成を示す図である。光伝送システム１は、光伝送路２０と、その両端に設けられた送信局１０及び受信局３０とを備えている。
【００２５】
光伝送路２０は、光ファイバ２０１，２０２，２０３と、中継器２１１，２１２とを備えている。光ファイバ２０１，２０２，２０３はそれぞれ長さが８０ｋｍの非零分散シフト光ファイバ（ＮＺＤＳＦ:Ｎｏｎ−Ｚｅｒｏ  Ｄｉｓｐｅｒｓｉｏｎ  Ｓｈｉｆｔｅｄ  Ｆｉｂｅｒ）である。
【００２６】
光ファイバ２０１，２０２，２０３の分散値が３ｐｓ／ｎｍ／ｋｍ未満であると、四光波混合による劣化が顕著になる。また、光ファイバ２０１，２０２，２０３の分散値が５ｐｓ／ｎｍ／ｋｍより大きいと、本実施形態のように８０ｋｍ、３スパンの光伝送路では分散耐力を超えてしまう。従って、光ファイバ２０１，２０２，２０３の使用波長での分散値は、３〜５ｐｓ／ｎｍ／ｋｍであることが好ましい。
【００２７】
中継器２１１は光ファイバ２０１と光ファイバ２０２とを繋ぐ中継器であり、中継器２１２は光ファイバ２０２と光ファイバ２０２とを繋ぐ中継器である。ＣもしくはＬバンドで使用する際は、中継器２１１，２１２は、Ｅｒ元素が光導波領域に添加された光ファイバを光増幅媒体として用いた光ファイバ増幅器（ＥＤＦＡ:Ｅｒｂｉｕｍ  Ｄｏｐｅｄ  Ｆｉｂｅｒ  Ａｍｐｌｉｆｉｅｒ）である。
【００２８】
続いて送信局１０について説明する。送信局１０は光伝送路２０の光ファイバ２０１に接続されている。送信局１０は、ＷＤＭ（ＷＤＭ：Ｗａｖｅｌｅｎｇｔｈ  Ｄｉｖｉｓｉｏｎ  Ｍｕｌｔｉｐｌｅｘｉｎｇ）送信器１０１と、合波器１０２と、分散補償器１０３と、中継器１０４とを備えている。ＷＤＭ送信器１０１は、半導体レーザ素子によって所定の波長の信号光を発生する波長分割多重型の光送信器である。
【００２９】
合波器１０２は、ＷＤＭ送信器１０１から出力される信号光を合波して分散補償器１０３に出力する。本実施形態の場合、分散補償器１０３は、後述する分散補償器３０３と協働して光伝送路２０の波長分散を補償している。分散補償器１０３の波長分散は、光伝送路２０の波長分散と符号が異なるように形成されている。中継器１０４は、分散補償器１０３と光ファイバ２０１とを繋ぐ中継器である。
【００３０】
分散補償器１０３は、分散補償ファイバのような分散値が固定のものが好適に用いられる。また、ＦＢＧ（Ｆｉｂｅｒ  Ｂｒａｇｇ  Ｇｒａｔｉｎｇ）、エタロン、ＶＩＰＡ（Ｖｉｒｔｕａｌｌｙ  Ｉｍａｇｅｄ  Ｐｈａｓｅｄ  Ａｒｒａｙ）のように分散値が可変のものも好適に用いられる。また、分散補償器１０３の挿入損失は３ｄＢ以下であることが好ましい。挿入損失をこの範囲にすると、分散補償器１０３の設置に起因して増幅器を追加する必要がなくなる。例えば、分散補償器１０３として分散補償ファイバを用いた場合、性能指数（ＦＯＭ）が３００ｐｓ／ｎｍ／ｄＢ、融着損を０．５ｄＢ／ｐｏｉｎｔとすると、分散補償範囲は６００ｐｓ／ｎｍまでとなる。また、分散補償器１０３としてエタロンの可変分散補償器を用いた場合、挿入損失が３ｄＢ以下で±１７００ｐｓ／ｎｍの範囲で調整可能なものがあるので、例えば分散が４ｐｓ／ｎｍ／ｋｍの非零分散シフト光ファイバを用いれば、４００ｋｍ超の伝送が可能となる。
【００３１】
引き続いて、受信局３０について説明する。受信局３０は光伝送路２０の光ファイバ２０３に接続されている。受信局３０は、ＷＤＭ受信器３０１と、分波器３０２と、分散補償器３０３と、中継器３０４とを備えている。中継器３０４は、分散補償器３０３と光ファイバ２０３とを繋ぐ中継器である。中継器３０４は、光ファイバ２０３から出力される信号光を分散補償器３０３に出力する。
【００３２】
分散補償器３０３は、前述した分散補償器１０３と協働して光伝送路２０の波長分散を補償している。分散補償器３０３の波長分散は、光伝送路２０の波長分散と符号が異なるように形成されている。分散補償器３０３は、前述した分散補償器１０３と同様に、分散補償ファイバのような分散値が固定のものが好適に用いられる。また、ＦＢＧ、エタロン、ＶＩＰＡのように分散値が可変のものも好適に用いられる。分散補償器３０３によって分散補償された信号光は分波器３０２に出力される。
【００３３】
分波器３０２は、分散補償器３０３から出力される信号光を分波してＷＤＭ受信器３０１に出力する。ＷＤＭ受信器３０１は、光伝送路２０により伝送される所定の波長の信号光をフォトダイオードで受信して光電変換する波長分割多重型の光受信器である。
【００３４】
本実施形態のように送信局１０と受信局３０とのそれぞれに分散補償器１０３，３０３を設置した場合、分散補償の状態は図２に示すようになる。図２に示すように、光ファイバ２０１，２０２，２０３及び中継器２１１，２１２からなる光伝送路２０を伝送後に累積分散が０近辺となるように、分散補償器１０３と分散補償器３０３による分散補償の割合を調整する。これは、本実施形態のように、光伝送路２０中ではなく送信局１０及び受信局３０において分散補償すると、送信局１０直後及び受信局３０直前における累積分散が大きく非線形による性能劣化が現れやすいため、その影響を最小限に抑えるためである。
【００３５】
また、分散補償器１０３，３０３に分散値が可変のものを用いた場合には、信号光の信号形式が変更された場合にも対応が可能となる（例えば、図２の実線から破線への変更）。その場合、分散補償量の調整は、受信信号の品質を監視しながら送受信の分散補償量の総和がほぼ一定になるようにする必要がある。これを実現するためには、分散補償器１０３，３０３それぞれの分散補償量を同時に変更する制御機構（図示しない）を導入する。
【００３６】
次に、本発明の実施形態である光伝送システムのアップグレード方法について図３を参照しながら説明する。図３は、光伝送システム２をアップグレードする手順を説明するための図である。図３の（ａ）は、アップグレード前の状態を示している。図３の（ｂ）は、アップグレード途中の補償器配置ステップ及び送受信機接続ステップの状態を示している。図３の（ｃ）はアップグレード後の状態を示している。
【００３７】
図３の（ａ）に示すように、光伝送システム２は、光伝送路２０と、その両端に設けられた送信局１５及び受信局３５とを備えている。光伝送路２０については既に説明してあるので、ここでの説明を省略する。尚、光伝送路２０の累積分散値は１０００ｐｓ／ｎｍ以下である。
【００３８】
送信局１５は、光伝送路２０の光ファイバ２０１に接続されている。送信局１５は、ＷＤＭ送信器１５１と、合波器１５２と、中継器１５４とを備えている。ＷＤＭ送信器１５１は、半導体レーザ素子によって所定の波長の信号光を発生する波長分割多重型の光送信器であって、そのビットレートは１０Ｇｂｉｔ／ｓである。また、信号源は外部変調器を用いている。
【００３９】
合波器１５２は、ＷＤＭ送信器１５１から出力される信号光を合波して中継器１５４に出力する。合波器１５２は、１０チャネル分のポートがあり、ＷＤＭ送信器１５１はその内の５チャネル分を使用している。中継器１０４は、合波器１５２と光ファイバ２０１とを繋ぐ中継器である。
【００４０】
受信局３５は、光伝送路２０の光ファイバ２０３に接続されている。受信局３５は、ＷＤＭ受信器３５１と、分波器３５２と、中継器３５４とを備えている。中継器３５４は、分波器３５２と光ファイバ２０３とを繋ぐ中継器である。中継器３５４は、光ファイバ２０３から出力される信号光を分波器３５２に出力する。
【００４１】
分波器３５２は、中継器３５４から出力される信号光を分波してＷＤＭ受信器３５１に出力する。分波器３５２は、１０チャネル分のポートがあり、ＷＤＭ送信器３５１はその内の５チャネル分を使用している。ＷＤＭ受信器３５１は、光伝送路２０により伝送される所定の波長の信号光をフォトダイオードで受信して光電変換する波長分割多重型の光受信器である。
【００４２】
続いて図３の（ｂ）に示すように、送信局１５にはＷＤＭ送信器１５５及び分散補償器１５３を、受信局３５にはＷＤＭ受信器３５５及び分散補償器３５３をそれぞれ配置する。より具体的には、ＷＤＭ送信器１５５及びＷＤＭ受信器３５５のビットレートは４０Ｇｂｉｔ／ｓである。ＷＤＭ送信器１５５は合波器１５２の空いているポートに接続される。ＷＤＭ受信器３５５は分波器３５２の空いているポートに接続される。
【００４３】
分散補償器１５３及び分散補償器３５３は、図１を参照しながら説明した分散補償器１０３及び分散補償器３０３と同様の構成である。分散補償器１５３は、合波器１５２よりも光伝送路２０側に挿入配置される。分散補償器３５３は、分波器３５２よりも光伝送路２０側に挿入配置される。
【００４４】
続いて図３の（ｃ）に示すように、送信局１５から送信器１５１を除去し、受信局３５から受信器３５１を削除する。従って、ビットレートが１０Ｇｂｉｔ／ｓの送信器１５１及び受信器３５１から、４０Ｇｂｉｔ／ｓの送信器１５５及び受信器３５５へのアップグレードが完了する。尚、既存の送受信器とアップグレードするより高速の送受信器の波長に重複があった場合は、対象となる波長を有する既存の送受信器をより高速の送受信器に入れ替えることで対処する。
【００４５】
尚、図３では、合波器１５２及び分波器３５２をそれぞれ一段のみ使用したけれども、これらを多段構成としてもよい。その例を図４に示す。図４は、受信局３５内の分波器を示す図である。図４に示す例では、分波器３５６及び分波器３５７を二段にして使用している。分波器３５６は、８チャネルのワイドバンド用分波器である。分波器３５７は、４チャネルのワイドバンド用分波器である。このような構成とすると、例えば最終的には３２チャネルとなるが構築当初は４チャネルしか使われない場合、分波器３５６と分波器３５７を一台組み合わせることで対応できる。その後チャネルの増設が必要となった場合には、分波器３５６の空いているポートに分波器３５７を接続することでチャネルの増設（図４のＡ部分）が適宜可能となる。
【００４６】
続いて、光伝送システムのアップグレード方法の異なる態様について図５を参照しながら説明する。図５は、光伝送システム３をアップグレードする手順を説明するための図である。図５の（ａ）は、アップグレード前の状態を示している。図５の（ｂ）は、アップグレード途中の補償器配置ステップ及び送受信機接続ステップの状態を示している。図５の（ｃ）はアップグレード後の状態を示している。
【００４７】
図５の（ａ）に示すように、光伝送システム３は、光伝送路２０と、その両端に設けられた送信局１８及び受信局３８とを備えている。光伝送路２０については既に説明してあるので、ここでの説明を省略する。
【００４８】
送信局１８は、光伝送路２０の光ファイバ２０１に接続されている。送信局１８は、ＷＤＭ送信器１８１と、合波器１８２と、カプラ１８３と、中継器１８４とを備えている。ＷＤＭ送信器１８１は、半導体レーザ素子によって所定の波長の信号光を発生する波長分割多重型の光送信器であって、そのビットレートは１０Ｇｂｉｔ／ｓである。また、信号源は外部変調器を用いている。
【００４９】
合波器１８２は、ＷＤＭ送信器１８１から出力される信号光を合波してカプラ１８３に出力する。カプラ１８３は二本の光ファイバから入射した光を一本の光ファイバに結合させる光学素子であるが、図５の（ａ）の場合には一系統が空いている状態である。中継器１８４は、カプラ１８３と光ファイバ２０１とを繋ぐ中継器である。
【００５０】
受信局３８は、光伝送路２０の光ファイバ２０３に接続されている。受信局３８は、ＷＤＭ受信器３８１と、分波器３８２と、カプラ３８３と、中継器３８４とを備えている。中継器３８４は、カプラ３８３と光ファイバ２０３とを繋ぐ中継器である。中継器３８４は、光ファイバ２０３から出力される信号光をカプラ３８３に出力する。
【００５１】
カプラ３８３は、一本の光ファイバから入射した光を二本の光ファイバに分岐させる光学素子であるが、図５の（ａ）の場合には一系統が空いている状態である。
【００５２】
分波器３８２は、カプラ３８３から出力される信号光を分波してＷＤＭ受信器３８１に出力する。ＷＤＭ受信器３８１は、光伝送路２０により伝送される所定の波長の信号光をフォトダイオードで受信して光電変換する波長分割多重型の光受信器である。
【００５３】
続いて図５の（ｂ）に示すように、送信局１８にはＷＤＭ送信器１８５、合波器１８６及び分散補償器１８７を、受信局３８にはＷＤＭ受信器３８５、分波器３８６及び分散補償器３８７をそれぞれ配置する。より具体的には、ＷＤＭ送信器１８５及びＷＤＭ受信器３８５のビットレートは４０Ｇｂｉｔ／ｓである。
【００５４】
ＷＤＭ送信器１８５には合波器１８６が接続され、更に分散補償器１８７に接続される。分散補償器１８７はカプラ１８３に接続される。また、ＷＤＭ受信器３８５には分波器３８６が接続され、更に分散補償器３８７に接続される。分散補償器３８７はカプラ３８３に接続される。
【００５５】
分散補償器１８７及び分散補償器３８７は、図１を参照しながら説明した分散補償器１０３及び分散補償器３０３と同様の構成である。分散補償器１８７は、合波器１８６よりも光伝送路２０側に挿入配置される。分散補償器３８７は、分波器３８６よりも光伝送路２０側に挿入配置される。
【００５６】
続いて図５の（ｃ）に示すように、送信局１８から送信器１８１を除去し、受信局３８から受信器３８１を削除する。従って、ビットレートが１０Ｇｂｉｔ／ｓの送信器１８１及び受信器３８１から、４０Ｇｂｉｔ／ｓの送信器１８５及び受信器３８５へのアップグレードが完了する。尚、既存の送受信器とアップグレードするより高速の送受信器の波長に重複があった場合は、対象となる波長を有する既存の送受信器を停止する、もしくは、より高速の送受信器に入れ替えることで対処する。
【００５７】
図５を参照しながら説明したアップグレード方法によれば、送信器１８１及び受信器３８１を止めずに送信器１８５及び受信器３８５を接続配置することができるので、既存の低速システムを停止させずに高速システムへのアップグレードが可能となる。また、送信器１８５から送信される信号光は分散補償器１８７によって歪められているため、送信器１８１から送信される信号光が受ける影響を低減させることができ、相互位相変調及び四光波混合などの非線形劣化を小さくすることができる。
【００５８】
尚、上述したアップグレード方法は、送受信器接続ステップの前においては、信号のビットレートが９．８〜１２．６Ｇｂｉｔ／ｓで外部変調器を用いて生成したものであり、光伝送路２０の累積分散値が１０００ｐｓ／ｎｍ以下である場合を例示した。一方、送受信器接続ステップの後において、信号のビットレートが９．８〜１２．６Ｇｂｉｔ／ｓで直接変調駆動レーザを用いて生成したものである場合にも上述したアップグレード方法を適用することができる。
【図面の簡単な説明】
【００５９】
【図１】本実施形態に係る光伝送システムの構成を示す図である。
【図２】図１に示す分散補償器の作用を説明するための図である。
【図３】本実施形態に係る光伝送システムのアップグレード方法を説明するための図である。
【図４】本実施形態に係る光伝送システムのアップグレード方法を説明するための図である。
【図５】本実施形態に係る光伝送システムのアップグレード方法を説明するための図である。
【符号の説明】
【００６０】
１…光伝送システム、１０…送信局、２０…光伝送路、３０…受信局、１０１…ＷＤＭ送信器、１０２…合波器、１０３…分散補償器、１０４…中継器、２０１，２０２，２０３…光ファイバ、２１１，２１２…中継器、３０１…ＷＤＭ受信器、３０２…分波器、３０３…分散補償器、３０４…中継器。
【図１】
2007049486.tif 000003
【図２】
2007049486.tif 000004
【図３】
2007049486.tif 000005
【図４】
2007049486.tif 000006
【図５】
2007049486.tif 000007